(57)【要約】      （修正有）【課題】施工が簡単で製作コストが安く、水漏れの心配がなく、熱を有効利用できる床暖房用温水マットとその施工方法を提供する。【解決手段】温水マット１内に配管した放熱管２を温水マット１からそのまま延長してこの延長部分を熱源機１１との間の連絡管２ａ、２ｂとすることにより、接続部を無くして水漏れを防ぎ、カプラー等の接続具を使用しないことにより部品コストと施工コストの軽減を図る。また、前記連絡管２ａ、２ｂ部分にはカバー部材付のガイドピース１３、１４を配置し、このガイドピース１３、１４を用いて連絡管２ａ、２ｂ部分の配管処理を行うことにより、連絡管２ａ、２ｂから放出される熱を有効に利用し、熱ロスを防ぐ。【選択図】図３
2014077551.tif 000002
【特許請求の範囲】
【請求項１】
マット本体内に放熱管を蛇行して配管し、この放熱管内に熱源機から送られて来た温水を循環させ、一巡して戻って来た温水を再び前記熱源機へ戻す方式の温水マットにおいて、前記放熱管の温水入口と出口側を前記マット本体からこのマット本体の外にそのまま延長し、この延長された放熱管部分を連絡管として室内を経由して室外の熱源機に結ぶように構成してなる床暖房用温水マット。
【請求項２】
前記連絡管をマット本体から室外へ導くための系路において用いるためのガイドピースであって、このガイドピースは、前記マット本体の厚さと略同一の厚さで形成された厚みを有し、上面に前記連絡管を受け入れることが出来る断面Ｕ字状のガイド溝が形成されていると共にこのガイド溝の上部開口部には、この開口部を覆うためのカバー部材が取り付けられていること、を特徴とする請求項１に記載の床暖房用温水マット。
【請求項３】
前記ガイドピースのガイド溝は、前記連絡管の外径と同じか若しくは前記連絡管の外径よりもやや大きく形成されていて、このガイド溝内に連絡管を収容したときに、このガイドピースは連絡管に沿ってスライド自在に取り付けられること、を特徴とする請求項２に記載の床暖房用温水マット。
【請求項４】
前記ガイドピースは、１枚又は複数枚単位で前記連絡管に取り付けられること、を特徴とする請求項２又は３に記載の床暖房用温水マット。
【請求項５】
前記ガイドピースは、あらかじめ又は後付けで連絡管に取り付けて用いられること、を特徴とする請求項２又は３又は４に記載の床暖房用温水マット。
【請求項６】
前記ガイドピースのガイド溝は、平面視直線状又は曲線状を呈していること、を特徴とする請求項２〜５のいずれか１項に記載の床暖房用温水マット。
【請求項７】
前記請求項１に記載の温水マットを室内に敷き込むと共に請求項２〜６のいずれか１項に記載のガイドピースを用いて室内に連絡管を配管すること、を特徴とする床暖房用温水マットの施工方法。
【発明の詳細な説明】
【技術分野】
【０００１】
本発明は、温水熱を利用して室内の暖房を行うための温水マットであって、この温水マットは、室内において床に敷き込み、この温水マットの上面にカーペット等の床材を施工することで室内を床面から暖房する床暖房用温水マット及びその施工方法に関する。
【背景技術】
【０００２】
上記温水マットの大きさは、室内の広さに合わせて選択されるが、この温水マットは室外に設置された熱源機（ボイラー）との間を連絡管で結ぶ必要があるが、前記室内におけるマットの敷き込み位置と熱源機の設置位置は施工現場においてそれぞれ異なる。
【０００３】
そこで、従来は図８に示すように、室内１２に温水マット１を敷き込んだ後、この温水マット１に配管した放熱管２の入口３と出口４は、連絡管５、６の出口７と入口８をカプラー９、１０等を用いて連結している。
図中符号の１１は熱源機を示す。
【０００４】
このように、従来の温水マット１側の放熱管２と連絡管５、６は、管としては別々の構成であったことから、次のような問題があった。
【０００５】
１．施工現場で放熱管２の入口３と出口４にカプラー９、１０等を用いて連絡管５、６      の出口７と入口８を連結しているため、施工作業に手数と時間がかかり、またカプ      ラー９、１０等の接続具を用いるためにコストがかかる。
【０００６】
２．放熱管２と連絡管５、６の連結部において水漏れの心配がある。また、連結部にお      ける圧力損失が発生する。
【０００７】
３．連絡管５、６は、室内１２において露出したままにはできないことから、連絡管        ５、６をガイドする部材をその都度製作するか、既製の長尺のものを現場に合わせ      てカットしながら使用しており、この連絡管５、６の処理に手数がかかっている
【０００８】
４．連絡管５、６からの熱ロスが大きい。
【発明の概要】
【発明が解決しようとする課題】
【０００９】
本発明は、叙上の如き欠点に鑑みて提供されるものであって、その目的は、施工に際して手数とコストがかからず、水漏れの心配が無く、圧力損失も小さく、連絡管の配管処理が簡単で、この連絡管からの熱ロスを防ぐ温水マットとその施工方法を提供することである。
【課題を解決するための手段】
【００１０】
請求項１に記載した本願発明は、床暖房用温水マットにおいて、マット本体内に放熱管を蛇行して配管し、この放熱管内に熱源機から送られて来た温水を循環させ、一巡して戻って来た温水を再び前記熱源機へ戻す方式の温水マットにおいて、前記放熱管の温水入口と出口側を前記マット本体からこのマット本体の外にそのまま延長し、この延長された放熱管部分を連絡管として室内を経由して室外の熱源機に結ぶように構成してなること、を特徴とするものである。
【００１１】
次に、請求項２に記載した本願発明は、請求項１に記載の床暖房用温水マットにおいて、前記連絡管をマット本体から室外へ導くための系路において用いるためのガイドピースであって、このガイドピースは、前記マット本体の厚さと略同一の厚さで形成された厚みを有し、上面に前記連絡管を受け入れることが出来る断面Ｕ字状のガイド溝が形成されていると共にこのガイド溝の上部開口部には、この開口部を覆うためのカバー部材が取り付けられていること、特徴とするものである。
【００１２】
次に、請求項３に記載した本願発明は、請求項２に記載の床暖房用温水マットにおいて、前記ガイドピースのガイド溝は前記連絡管の外径よりもやや大きく形成されていて、このガイド溝内に連絡管を収容したときに、このガイドピースは連絡管に沿ってスライド自在に取り付けられること、を特徴とするものである。
【００１３】
次に、請求項４に記載した本願発明は、請求項２又は３に記載の床暖房用温水マットにおいて、前記ガイドピースは、１枚又は複数枚単位で前記連絡管にあらかじめ、又は施工現場において取り付けられること、を特徴とするものである。
【００１４】
次に、請求項５に記載した本願発明は、請求項２又は３又は４に記載の床暖房用温水マットにおいて、前記ガイドピースは、あらかじめ又は後付けで連絡管に取り付けて用いられること、を特徴とするものである。
【００１５】
次に、請求項６に記載した本願発明は、請求項２〜５のいずれか１項に記載の床暖房用温水マットにおいて、前記ガイドピースのガイド溝は、平面視直線状又は曲線状を呈していること、を特徴とするものである。
【００１６】
次に、請求項７に記載した本願発明は、温水マットの施工方法であって、先ず前記請求項１に記載の温水マットを室内に敷き込むと共に請求項２〜６のいずれか１項に記載のガイドピースを用いて室内に連絡管を配管すること、を特徴とするものである。
【発明の効果】
【００１７】
請求項１に記載の発明によると、温水マットの放熱管をマット本体から延長し、この延長した部分を連絡管としたことにより、従来のように放熱管と連絡管をいちいちカプラー等を用いて接続する必要がなくなり、現場での施工手数とコストを軽減することができると共に管の接続部が無いため、水漏れの心配が無くなり、又圧力損失が小さくなる。
【００１８】
請求項２に記載の発明によると、連絡管は定形のガイドピースを適宜用いて配管することができるため、連絡管配管用のガイドを現場で製作したりする必要がなく、施工に手数がかからない。
【００１９】
また、このガイドピースに形成したガイド溝の入口にはカバー部材が取り付けられているため、このガイド溝内に連絡管を挿入し、この上面にアルミ箔を貼り付ける際に、塗布した接着剤が連絡管に付着しないためにこの連絡管からの熱の放出に支障がなくなると共にアルミ箔と連絡管は接着固定されていないことから、あとでガイドピースの位置を自由に動かしたりして施工状況に対応できる。
【００２０】
請求項３に記載の発明によると、ガイドピースを施工現場の状況に合わせてスライドさせながらその位置を調整できる。
【００２１】
請求項４に記載の発明によると、連絡管の長さに合わせて使用するガイドピースの数を特定することにより、どのような長さにおいても適切に対応して配管できる。
【００２２】
請求項５に記載の発明によると、ガイドピースに対する連絡管の配管は、あらかじめ連絡管にガイドピースを取り付けておいても、あるいは現場の状況に応じて現物でガイドピースを連絡管に取り付けるようにしてもよいことから、配管作業の自由度が増す。
【００２３】
請求項６に記載の発明によると、ガイドピースのガイド溝は直線状ばかりでなく、曲線状のものもあることから、連絡管の向きの変更等に適切に対応することができる。
【００２４】
請求項７に記載の発明によると、連絡管を温水マットから室内の端（隅）まで簡単に、しかも確実に配管することができる。
【図面の簡単な説明】
【００２５】
【図１】本発明に係る温水マットの平面図
【図２】Ａ−Ａ´線断面図
【図３】ガイドピースを用いた施工例の説明図
【図４】９０°曲り部に使用するガイドピースの説明図
【図５】直線部に使用するガイドピースの説明図
【図６】カバー部材を配管溝に取り付けたガイドピースの説明図
【図７】ガイドピースを連絡管に沿ってスライドさせ、ここに別のガイドピースを取り付ける例の説明図
【図８】従来の温水マットと連絡管及び施工例を示す説明図
【発明を実施するための形態】
【実施例１】
【００２６】
図１〜図３に基づいて請求項１に記載の本発明の実施例を詳細に説明する。
【００２７】
符号の１は、床暖房用温水マットであって、この温水マット１の上面には放熱管２が図２に示すように断面Ｕ字状に形成された配管溝１ａ内に蛇行配管されていて、この放熱管２は、図１及び図３に示すようにそのまま温水マット１から外に延長されていて、この延長部は連絡管２ａ、２ｂとなって室内１２の床スペースを経由して熱源機１１に結ばれている。
【実施例２】
【００２８】
（請求項２〜６に対応）
図３において、１３、１４は前記連絡管２ａ、２ｂが室内の床スペースを経由して熱源機１１に至る間に挿入されたガイドピースであって、このガイドピース１３、１４の上面には連絡管配管用のガイド溝１３ａ、１３ｂ、１４ａ、１４ｂが形成されていて、連絡管２ａ、２ｂの配管方向に準拠するように円曲状のガイド溝１３ａ、１３ｂ（図４）及び直線状のガイド溝１４ａ、１４ｂ（図５）が形成されている。
【００２９】
但し、このガイド溝の形状は、各種変形のものが用意されていて、現場における温水マット１と熱源機１１の位置関係で連絡管２ａ、２ｂを適正にガイドするために用いられるものであって、図４、図５のガイドピース１３、１４に限定されるものではない。
【００３０】
図６において、１７はガイドピースのガイド溝１４ａ、１４ｂの上部開口部分に取り付けられたカバー部材であって、このカバー部材１７は、ガイドピース１４の上面にアルミシートを貼り付けるときに、接着剤が連絡管２ａ、２ｂに付着するのを防止するのが目的であって、アルミ箔のような伝熱性に優れた素材から選ばれている。
【００３１】
また、ガイドピース１３，１４の配管溝１３ａ、１３ｂ、１４ａ、１４ｂと連絡管２ａ、２ｂ間には、スライドできる程度のクリアランスをつけることにより、図７に示すように、例えばガイドピース１４をスライドさせて間隔を空け、ここに別なガイドピース１４をあとづけで挿入したりできるように構成しても良い。
【００３２】
また、カバー部材１７は、図７に示すように片開きが可能なように取り付け、図７に示すように開いた状態で連絡管２ａ、２ｂを配管し、その上でカバー部材１７を閉じるように構成しても良い。
【００３３】
本実施例２は、あらかじめガイドピース１３、１４にカバー部材１７が取り付けられている場合であって、図４、図５に示すようなガイドピース１３、１４に連絡管２ａ、２ｂを配管したのち、現場でカバー部材１７をガイドピース１３、１４に取り付け、その上でアルミシートを貼り付ける方法であっても良い。
【実施例３】
【００３４】
（請求項７に対応）
本実施例３は、実施例１の温水マット１をガイドピース１３、１４を用いながら施工する方法であって、この施工法方は、図３に示すように施工対象室内１２に実施例１で説明した温水マット１を敷き込み、熱源機１１に至る室内１２のスペースにガイドピース１３、１４を配置し、このガイドピース１３、１４のガイド溝１３ａ、１３ｂ、１４ａ、１４ｂに連絡管２ａ、２ｂを配管し、この上にカバー部材７を貼り付けて前処理を行い、その上で温水マット１及びガイドピース１３、１４の上面にアルミシートを貼りつけ、更にこのアルミシートの上面にカーペット等の床材を裁置又は貼り付けて施工を終了するものである。
【００３５】
なお、本実施例３の場合、ガイドピース１３、１４のカバー部材１７は配管後のあとづけの例であるが、先にこのカバー部材１７付のガイドピース１３、１４を用いた場合には、前記カバー部材１７を現場で貼り付ける作業は無くなる。
【符号の説明】
【００３６】
１  温水マット
２  放熱管
２ａ、２ｂ  連絡管
１１  熱源機
１２  室内
１３、１４  ガイドピース
１７  カバー部材
【図１】
2014077551.tif 000003
【図２】
2014077551.tif 000004
【図３】
2014077551.tif 000005
【図４】
2014077551.tif 000006
【図５】
2014077551.tif 000007
【図６】
2014077551.tif 000008
【図７】
2014077551.tif 000009
【図８】
2014077551.tif 000010